(57)【要約】【課題】従来の伸縮式衣服掛けよりも耐荷重の向上した丈夫な伸縮式衣服掛けを提供する。【解決手段】  少なくとも一対の相対向するプラスチック製のアーチ状台座と、前記相対向するアーチ状台座に架け渡されてなる少なくとも一つの金属製のフレーム材と、前記アーチ状台座に立設せしめられてなり、伸縮可能な少なくとも一対の相対向する金属製支持柱と、前記相対向する金属製支持柱に架け渡されてなる少なくとも一つの金属製の楕円形ハンガーフレームと、を有し、前記楕円形ハンガーフレームの楕円断面の長軸方向が鉛直方向と一致してなり、前記アーチ状台座が、前記金属製支持柱が立設されて荷重を受ける水平部分と、前記水平部分から斜め下方に伸びる台座両端部と、前記台座両端部のそれぞれに設けられたキャスター部材と、を有し、前記台座両端部が支点部とされ、前記支点部に水平反力が生じるようにしてなるようにした。【選択図】図１
0003181449.tif 000002
【実用新案登録請求の範囲】
【請求項１】
少なくとも一対の相対向するプラスチック製のアーチ状台座と、
前記相対向するアーチ状台座に架け渡されてなる少なくとも一つの金属製のフレーム材と、
前記アーチ状台座に立設せしめられてなり、伸縮可能な少なくとも一対の相対向する金属製支持柱と、
前記相対向する金属製支持柱に架け渡されてなる少なくとも一つの金属製の楕円形ハンガーフレームと、
を有し、前記楕円形ハンガーフレームの楕円断面の長軸方向が鉛直方向と一致してなり、
前記アーチ状台座が、前記金属製支持柱が立設されて荷重を受ける水平部分と、
前記水平部分から斜め下方に伸びる台座両端部と、
前記台座両端部のそれぞれに設けられたキャスター部材と、
を有し、前記台座両端部が支点部とされ、前記支点部に水平反力が生じるようにしてなることを特徴とする伸縮式衣服掛け。
【請求項２】
前記金属製支持柱の上端に、フック先端が外側を向いたフック部材が設けられてなることを特徴とする請求項１記載の伸縮式衣服掛け。
【請求項３】
前記金属が、鋼管クロムメッキであり、前記プラスチックが、ポリプロピレン又はＡＢＳ樹脂であることを特徴とする請求項１又は２記載の伸縮式衣服掛け。
【考案の詳細な説明】
【技術分野】
【０００１】
本考案は、衣服類を掛けておくのに用いられる衣服掛けに係り、特には、パイプ材のフレームを高さ方向で伸縮自在とした伸縮式衣服掛けに関する。
【背景技術】
【０００２】
従来より、家庭等で衣服類を掛けておく（衣服類をハンガーに掛止して吊り下げておく）のに用いられる衣服掛け（ハンガーラック或いは単にハンガー等とも呼ばれる）がある。衣服掛けとしては、ステンレス等の金属製のパイプ材からなるフレームを組み立ててなるものが広く用いられており、利便性や汎用性等の観点から、その高さ方向に伸縮自在とされた伸縮式の衣服掛けも広く知られている（例えば、特許文献１参照）。
【０００３】
また、本願出願人は、高さ調節の際のネジ締めを不要とすることにより、ネジ締めの労力と手間が掛からず且つフレームの固定不足による危険を皆無とし、また、左右の高さを簡単な操作で正確に揃えることができるので、面倒な作業や手間が掛からず且つ見た目もよく充分な強度と安定性を備え、さらに、優れた外観及び機能美を兼備したワンタッチ操作で高さ調節を容易且つ確実に行うことのできる伸縮式衣服掛けを提案している（特許文献２）。
【０００４】
従来の伸縮式衣服掛けは、支持柱が立設される台座部材が、ステンレス等の金属製のパイプ材から構成されており、該パイプ材で構成された台座部材にキャスターを取り付けたりしていた。
【０００５】
しかし、このような従来の伸縮式衣服掛けでは、ハンガー部のハンガーフレームに、衣類をたくさん掛けると総荷重が例えば４０ｋｇといった重さになるが、このような重さになると、該伸縮式衣服掛けを構成しているハンガー部や台座部のパイプフレームが変形してしまうという問題があった。
【先行技術文献】
【特許文献】
【０００６】
【特許文献１】特開平８−１９４６５号公報
【特許文献２】実用新案登録第３１１０８３６号公報
【考案の開示】
【考案が解決しようとする課題】
【０００７】
本考案は、上記従来技術の問題点に鑑みてなされたもので、従来の伸縮式衣服掛けよりも耐荷重の向上した丈夫な伸縮式衣服掛けを提供することを目的とする。
【課題を解決するための手段】
【０００８】
上記課題を解決するために、本考案の伸縮式衣服掛けは、少なくとも一対の相対向するプラスチック製のアーチ状台座と、前記相対向するアーチ状台座に架け渡されてなる少なくとも一つの金属製のフレーム材と、前記アーチ状台座に立設せしめられてなり、伸縮可能な少なくとも一対の相対向する金属製支持柱と、前記相対向する金属製支持柱に架け渡されてなる少なくとも一つの金属製の楕円形ハンガーフレームと、を有し、前記楕円形ハンガーフレームの楕円断面の長軸方向が鉛直方向と一致してなり、前記アーチ状台座が、前記金属製支持柱が立設されて荷重を受ける水平部分と、前記水平部分から斜め下方に伸びる台座両端部と、前記台座両端部のそれぞれに設けられたキャスター部材と、を有し、前記台座両端部が支点部とされ、前記支点部に水平反力が生じるようにしてなることを特徴とする。
【０００９】
本考案の伸縮式衣服掛けは、特に家庭等で衣服類を掛けておく伸縮式衣服掛けに適している。また、アーチ状台座が、プラスチック製とされており、支持柱が金属製とされているため、軽量である。
【００１０】
前記楕円形ハンガーフレームの楕円断面の長軸方向を鉛直方向と一致させることで、強度を向上させている。また、台座をプラスチック製のアーチ状とすることで、台座両端部の支点部に水平反力が生じるようにされており、強度を向上させている。
【００１１】
本考案の伸縮式衣服掛けでは、プラスチック製のアーチ状台座と、楕円形ハンガーフレームの採用により、４０ｋｇ程度の耐荷重を有する。すなわち、男性用スーツ１着の重量が２ｋｇと仮定すると、２０着の男性用スーツが掛けられる計算となる。このような耐荷重は、業務用のハンガーに匹敵する。なお、本考案の伸縮式衣服掛けでは、キャスター部材は、強度向上のため、車輪部の直径が５０ｍｍ程度のキャスター部材を使用するのが好ましい。
【００１２】
前記金属製支持柱の上端に、フック先端が外側を向いたフック部材を設けるのが好ましい。前記フック部材に、衣類や帽子を掛けたりすることができるからである。
【００１３】
前記金属としては、鋼管クロムメッキであり、前記プラスチックが、ポリプロピレン又はＡＢＳ樹脂が好適である。
【考案の効果】
【００１４】
本考案によれば、従来の伸縮式衣服掛けよりも耐荷重の向上した丈夫な伸縮式衣服掛けを提供することができるという著大な効果を奏する。
【図面の簡単な説明】
【００１５】
【図１】本考案に係る伸縮式衣服掛けの一つの実施の形態を示す正面図である。
【図２】図１の右側面図である。
【図３】図１の金属製支持柱が伸縮する様子を示す正面図である。
【図４】図１のＡ−Ａ断面図である。
【図５】図１のＢ−Ｂ断面図である。
【図６】図４のＣ−Ｃ部拡大図である。
【図７】本考案に係る伸縮式衣服掛けの別の実施の形態を示す正面図である。
【図８】図７の右側面図である。
【図９】図７の金属製支持柱が伸縮する様子を示す正面図である。
【図１０】図７のＡ−Ａ断面図である。
【図１１】図７のＢ−Ｂ断面図である。
【図１２】図１０のＣ−Ｃ部拡大図である。
【図１３】図１０のＤ−Ｄ部拡大図である。
【考案を実施するための形態】
【００１６】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１７】
図１〜図６において、符号１０Ａは伸縮式衣服掛けの一つの実施の形態を示す。
【００１８】
本考案の伸縮式衣服掛け１０Ａは、少なくとも一対の相対向するプラスチック製のアーチ状台座１２ａ，１２ｂと、前記相対向するアーチ状台座１２ａ，１２ｂに架け渡されてなる少なくとも一つの金属製のフレーム材１４ａ，１４ｂと、前記アーチ状台座１２ａ，１２ｂに立設せしめられてなり、伸縮可能な少なくとも一対の相対向する金属製支持柱１６ａ，１６ｂと、前記相対向する金属製支持柱１６ａ，１６ｂに架け渡されてなる少なくとも一つの金属製の楕円形ハンガーフレーム１８と、を有し、前記楕円形ハンガーフレーム１８の楕円断面の長軸方向が鉛直方向と一致してなり、前記アーチ状台座１２ａ，１２ｂが、前記金属製支持柱１６ａ，１６ｂが立設されて荷重を受ける水平部分２０ａ，２０ｂと、前記水平部分２０ａ，２０ｂから斜め下方に伸びる台座両端部２２ａ，２２ｂ，２２ｃ，２２ｄと、前記台座両端部２２ａ，２２ｂ，２２ｃ，２２ｄのそれぞれに設けられたキャスター部材２４ａ，２４ｂ，２４ｃ，２４ｄと、を有し、前記台座両端部２２ａ，２２ｂ，２２ｃ，２２ｄが支点部Ｐとされ、前記支点部Ｐに水平反力Ｆが生じるようにされている。
【００１９】
なお、図示例では、金属部分には、鋼管クロムメッキを使用し、プラスチック部分には、ポリプロピレンとＡＢＳ樹脂を用いた例を示した。楕円形ハンガーフレーム１８の楕円断面の長軸方向は鉛直方向と一致している。
【００２０】
本考案の伸縮式衣服掛け１０Ａは、特に家庭等で衣服類を掛けておく伸縮式衣服掛けに適している。また、アーチ状台座１２ａ，１２ｂが、プラスチック製とされており、支持柱１６ａ，１６ｂが金属製とされているため、軽量である。
【００２１】
また、本考案の伸縮式衣服掛けでは、プラスチック製のアーチ状台座と、楕円形ハンガーフレームの採用により、４０ｋｇ程度の耐荷重を有する。すなわち、男性用スーツ１着の重量が２ｋｇと仮定すると、２０着の男性用スーツが掛けられる計算となる。なお、本考案の伸縮式衣服掛けでは、キャスター部材２４ａ，２４ｂ，２４ｃ，２４ｄは、直径５０ｍｍ程度のものを使用するのが好ましい。
【００２２】
また、前記金属製支持柱１６ａ，１６ｂの上端に、フック先端が外側を向いたフック部材２６ａ，２６ｂが設けられている。前記フック部材２６ａ，２６ｂに、衣類や帽子を掛けたりすることができるからである。なお、前記金属製支持柱１６ａ，１６ｂは伸縮可能とされており、調節ネジ２８ａ，２８ｂによって、伸縮自在に固定される。
【００２３】
前記フレーム材１４ａ，１４ｂは、アーチ状台座１２ａ，１２ｂに固定螺子３０ａ，３０ｂ，３０ｃ，３０ｄによって固定される。
【００２４】
本考案の伸縮式衣服掛け１０Ａは、収納や運搬に便利なように、組立式であり、分解することでコンパクトになる。プラスチック製のアーチ状台座１２ａ，１２ｂと、金属製のフレーム材１４ａ，１４ｂと、金属製支持柱１６ａ，１６ｂと、楕円形ハンガーフレーム１８と、キャスター部材２４ａ，２４ｂ，２４ｃ，２４ｄと、に分解可能とされており、螺子止めや、螺合又は嵌着によって組立式とすることができる。
【００２５】
図７〜図１３に、楕円形ハンガーフレームをダブルとした例を示す。
【００２６】
本考案の伸縮式衣服掛け１０Ｂは、少なくとも一対の相対向するプラスチック製のアーチ状台座５２ａ，５２ｂと、前記相対向するアーチ状台座５２ａ，５２ｂに架け渡されてなる少なくとも一つの金属製のフレーム材５４ａ，５４ｂと、前記アーチ状台座５２ａ，５２ｂに立設せしめられてなり、伸縮可能な少なくとも一対の相対向する金属製支持柱５６ａ，５６ｂ，５６ｃ，５６ｄと、前記相対向する金属製支持柱５６ａ，５６ｂ，５６ｃ，５６ｄに架け渡されてなる少なくとも一つの金属製の楕円形ハンガーフレーム５８ａ，５８ｂと、を有し、前記楕円形ハンガーフレーム５８ａ，５８ｂの楕円断面の長軸方向が鉛直方向と一致してなり、前記アーチ状台座５２ａ，５２ｂが、前記金属製支持柱５６ａ，５６ｂ，５６ｃ，５６ｄが立設されて荷重を受ける水平部分６０ａ，６０ｂと、前記水平部分６０ａ，６０ｂから斜め下方に伸びる台座両端部６２ａ，６２ｂ，６２ｃ，６２ｄと、前記台座両端部６２ａ，６２ｂ，６２ｃ，６２ｄのそれぞれに設けられたキャスター部材６４ａ，６４ｂ，６４ｃ，６４ｄと、を有し、前記台座両端部６２ａ，６２ｂ，６２ｃ，６２ｄが支点部Ｐとされ、前記支点部Ｐに水平反力Ｆが生じるようにされている。
【００２７】
また、本考案の伸縮式衣服掛けでは、プラスチック製のアーチ状台座と、楕円形ハンガーフレームの採用により、各楕円形ハンガーフレーム５８ａ，５８ｂが、４０ｋｇ程度の耐荷重を有する。すなわち、男性用スーツ１着の重量が２ｋｇと仮定すると、２０着の男性用スーツが掛けられる計算となる。なお、本考案の伸縮式衣服掛けでは、キャスター部材６４ａ，６４ｂ，６４ｃ，６４ｄは、直径５０ｍｍ程度のものを使用するのが好ましい。
【００２８】
前記金属製支持柱５６ａ，５６ｂ，５６ｃ，５６ｄの上端に、フック先端が外側を向いたフック部材６６ａ，６６ｂ，６６ｃ，６６ｄを設けるのが好ましい。前記フック部材６６ａ，６６ｂ，６６ｃ，６６ｄに、衣類や帽子を掛けたりすることができるからである。
【００２９】
なお、前記金属製支持柱５６ａ，５６ｂ，５６ｃ，５６ｄは伸縮可能とされており、調節ネジ６８ａ，６８ｂ，６８ｃ，６８ｄによって、伸縮自在に固定される。また、前記金属製支持柱５６ａと５６ｂ，前記金属製支持柱５６ｃと５６ｄとは、それぞれ、架け渡し部材７２によって互いに固定されている。
【００３０】
前記フレーム材５４ａ，５４ｂは、アーチ状台座５２ａ，５２ｂに固定螺子７０ａ，７０ｂ，７０ｃ，７０ｄによって固定される。
【００３１】
本考案の伸縮式衣服掛け１０Ｂは、収納や運搬に便利なように、組立式であり、分解することでコンパクトになる。プラスチック製のアーチ状台座５２ａ，５２ｂと、金属製のフレーム材５４ａ，５４ｂと、金属製支持柱５６ａ，５６ｂ，５６ｃ，５６ｄと、楕円形ハンガーフレーム５８ａ，５８ｂと、キャスター部材６４ａ，６４ｂ，６４ｃ，６４ｄと、に分解可能とされており、螺子止めや、螺合又は嵌着によって組立式とすることができる。
【００３２】
なお、図示例では、金属部分には、鋼管クロムメッキを使用し、プラスチック部分には、ポリプロピレンとＡＢＳ樹脂を用いた例を示した。
【００３３】
本考案の伸縮式衣服掛け１０Ｂは、収納や運搬に便利なように、組立式であり、分解することでコンパクトになる。プラスチック製のアーチ状台座５２ａ，５２ｂと、金属製のフレーム材５４ａ，５４ｂと、金属製支持柱５６ａ，５６ｂ，５６ｃ，５６ｄと、楕円形ハンガーフレーム５８ａ，５８ｂと、キャスター部材６４ａ，６４ｂ，６４ｃ，６４ｄと、に分解可能とされており、螺子止めや、螺合又は嵌着によって組立式とすることができる。
【符号の説明】
【００３４】
１０Ａ，１０Ｂ：伸縮式衣服掛け、１２ａ，１２ｂ，５２ａ，５２ｂ：アーチ状台座、１４ａ，１４ｂ，５４ａ，５４ｂ：フレーム材、１６ａ，１６ｂ，５６ａ，５６ｂ，５６ｃ，５６ｄ：金属製支持柱、１８，５８ａ，５８ｂ：楕円形ハンガーフレーム、２０ａ，２０ｂ：水平部分、２２ａ，２２ｂ：台座両端部、２４ａ，２４ｂ，２４ｃ，２４ｄ，６４ａ，６４ｂ，６４ｃ，６４ｄ：キャスター部材、２６ａ，２６ｂ，６６ａ，６６ｂ，６６ｃ，６６ｄ：フック部材、２８ａ，２８ｂ，６８ａ，６８ｂ，６８ｃ，６８ｄ：調節ネジ、６０ａ，６０ｂ：水平部分、６２ａ，６２ｂ：台座両端部、７０ａ，７０ｂ，７０ｃ，７０ｄ：固定螺子、７２：架け渡し部材、Ｐ：支点部、Ｆ：水平反力。
【図１】
0003181449.tif 000003
【図２】
0003181449.tif 000004
【図３】
0003181449.tif 000005
【図４】
0003181449.tif 000006
【図５】
0003181449.tif 000007
【図６】
0003181449.tif 000008
【図７】
0003181449.tif 000009
【図８】
0003181449.tif 000010
【図９】
0003181449.tif 000011
【図１０】
0003181449.tif 000012
【図１１】
0003181449.tif 000013
【図１２】
0003181449.tif 000014
【図１３】
0003181449.tif 000015